(57)【特許請求の範囲】
【請求項１】
記録媒体に１または複数のチャンネルで信号を記録する記録手段と、
入力される２のチャンネル信号の差分信号を抽出する差分抽出手段と、
上記抽出された差分信号が所定値以下であることを判別する差分信号値判別手段と、
上記差分信号値判別手段による判別結果に基づいて、上記記録媒体への記録チャンネル数を変化させる制御手段と、
入力される信号の信号レベルが所定値以下であることを検出する入力信号レベル検出手段と、
期間を計時する計時手段と
を備え、
上記制御手段は、上記入力信号レベル検出手段による検出が所定期間継続したと判別された場合に上記記録媒体への記録チャンネル数を減じる
ことを特徴とする記録装置。
【請求項２】
入力される２のチャンネル信号の差分信号を抽出し、
上記抽出された差分信号が所定値以下であるか否かを判別し、
上記差分信号が所定値以下である場合には記録媒体へ記録チャンネル数を減じて記録し、
入力される信号の信号レベルが所定値以下であることを検出するとともに、その期間を計時し、
上記入力信号レベルが所定値以下である検出が所定期間継続したと判別された場合に上記記録媒体への記録チャンネル数を減じる
ことを特徴とする記録方法。
【発明の詳細な説明】
【０００１】
【発明の属する技術分野】
本発明は、例えば入力されたオーディオ信号等の信号を所定の記録媒体に対して記録することのできる記録装置に関するものである。
【０００２】
【従来の技術】
近年においては、例えばミニディスク（ＭＤ）などのように、オーディオデータを記録再生可能なディスクメディア、及びこのようなディスクメディアに対応した記録再生装置が広く普及している。
このようなＭＤレコーダ／プレーヤでは、例えば、コンパクトディスク（ＣＤ）プレーヤ等のオーディオ機器により再生したオーディオ信号や、ラジオなどから出力されるオーディオ信号をＭＤに記録することで、ユーザが任意にオーディオライブラリを得ることができる。
【０００３】
ところで、上記ＭＤレコーダ／プレイヤー等のデジタルオーディオシステムでは、オーディオデータは、一般にはいわゆる「プログラム」といわれる単位で管理される。ここで、本明細書でいうところのプログラムとは、ディスク上において、１つの単位として管理して記録されるデータ群のことをいうもので、例えばオーディオデータであれば１つの楽曲（一般には１つの「トラック」といわれる）などが相当する。そこで、以降においては、プログラムについてトラックともいうことにする。
【０００４】
また、一般音楽用途などにおける音声信号としては一般に２チャンネルステレオ方式とモノラル方式が用いられることが多い。
そしてデジタルデータ記録の場合、ステレオ方式の音声データを記録媒体に対する記録データとしてエンコードするときは、ＬチャンネルデータとＲチャンネルデータを時分割的に並べたデータストリームを構成していくようにフォーマットが定められていることが多い。そして、ＭＤレコーダ／プレイヤーにあっても、サウンドフレームといわれる所定長のデータ単位ごとに、ＬチャンネルデータとＲチャンネルデータとが交互に配置されるようにしてデジタルオーディオデータストリームが形成されて記録が行われるものである。
【０００５】
そして、近年のＭＤレコーダ／プレイヤーにあっては、上記したデータ構造によってＬ，Ｒステレオ音声の録音を可能とすることを前提としたうえで、モノラル録音を実行できるようにしたものが開発されている。モノラル録音では例えば単一チャンネルとして入力された音声信号をＬチャンネルデータとＲチャンネルデータのサウンドフレームに対して連続的に配置させるようにしてデータストリームを形成するようにされる。このようにして得られるデータストリームは、データ量がステレオ録音時の１／２となるため、同一の記録媒体で２倍の録音可能時間が得られるものとなる。例えばＭＤレコーダ／プレーヤとしては、７４分録音可能なミニディスクが市販品として提供されているが、モノラル録音では１４８（＝７４×２）分の録音が可能となるものである。
【０００６】
【発明が解決しようとする課題】
例えば上記した、市販のミニディスクとしては、上記のように、ステレオで７４分の記録が可能な記録容量のものが広く普及している。これは、例えばＣＤの最大記録可能時間が公称７４分とされていることに対応しており、実状として、ＣＤに記録されている全内容をＭＤに記録（ダビングともいわれる）できるようにすることを配慮しているものである。
【０００７】
但し現状においては、ＣＤとして７４分を有に越えて８０分強程度の総記録時間を有しているものがでてきている。これは、ＣＤが物理ピットによってＥＦＭ変調されたデータが記録されているという物理的ディスクフォーマットの特徴を有しているために、例えばピットの間隔を詰めることによって総記録データ量（総記録時間）を増加させることが可能であるという技術を利用しているものである。
これに対して、ＭＤは、周知のように記録可能な領域が、所定の周波数信号によって変調された絶対アドレス情報としての蛇行を有するグルーブ（溝）として形成されているため、上記のようにして物理ピット間隔を狭めるようにして総記録時間を延長させることは出来ない。
このために、例えばユーザは、ＣＤの全記録内容を記録できるものと思って７４分記録可能なＭＤを購入しても、ＣＤの総記録時間が７４分を越えているような場合には、その全ての記録内容をダビングしきれないという不都合が生じる場合がある。
このような場合、ユーザは、７４分よりも記録可能時間の長いＭＤを購入するしかないのであるが、ユーザの立場からすれば、７４分を多少越えた総記録時間のＣＤであれば、何とか７４分のＭＤで記録できるようになることが、例えば経済的負担等を考えると好ましいことになる。
また、これに似た状況として、例えばラジオ放送の音声をできる限り１枚のディスクに長く納めたいという要望がユーザ側にあることは当然考えられる。
【０００８】
上記した事情に対応しようとすれば、例えば、先に説明したモノラル録音モードを設定して録音することが考えられる。但し、一般のＣＤはステレオにより記録されているものが圧倒的に多く、また、ラジオ放送もＦＭ放送であれば、ステレオ音声が流れることがほとんどであるために、これをモノラル録音モードで録音すれば、本来ステレオとして供給された音声ソースを、ステレオ音声として再現（再生）することが出来なくなってしまう。
【０００９】
そこで、例として録音ソースがステレオのときにはユーザがステレオ録音モードを設定し、モノラルのときには、モノラル録音モードを設定するようにすることが考えられる。
しかし、先にも述べたように、ＭＤレコーダ／プレイヤーにあって、上記したステレオ録音モードとモノラル録音モードとの切り換えは、録音開始前の段階においてユーザの操作により設定されるものであるため、ユーザは、逐一、現在の入力ソースがモノラルであるのかステレオであるのかを確認して、自身で録音モードの設定操作を行い、この後記録開始操作を行わなければならないという面倒を抱えることになる。
【００１０】
【課題を解決するための手段】
そこで、本発明は上記した課題を考慮して、先ず１つには、例えば、入力される録音ソース（信号）の状態に応じて、マルチチャンネル（例えば２チャンネルステレオ）による記録モードと、これよりチャンネル数の少ないチャンネル（例えばモノラル）による記録モードとの自動切り換えが可能なようにすることを目的とするものである。また、１つには、例えば記録媒体の物理フォーマットに依らず記録媒体の総記録時間が延長できるようにすることを目的とする。
【００１１】
このために、記録媒体に１または複数のチャンネルで信号を記録する記録手段と、入力される２のチャンネル信号の差分信号を抽出する差分抽出手段と、上記抽出された差分信号が所定値以下であることを判別する差分信号値判別手段と、上記差分信号値判別手段による判別結果に基づいて、上記記録媒体への記録チャンネル数を変化させる制御手段とを備えることとした。
【００１２】
上記構成に依れば、記録情報として入力される信号についての所定の状態に応じて、所定のチャンネル数が設定された複数の記録モードについての切り換えが行われることになる。
【００１３】
さらに、入力される信号の信号レベルが所定値以下であることを検出する入力信号レベル検出手段と、期間を計時する計時手段とを更に備え、上記制御手段は、上記入力信号レベル検出手段による検出が所定期間継続したと判別された場合に上記記録媒体への記録チャンネル数を減じる構成とした。
【００１４】
また、入力される２のチャンネル信号の差分信号を抽出し、上記抽出された差分信号が所定値以下であるか否かを判別し、上記差分信号が所定値以下である場合には記録媒体へ記録チャンネル数を減じて記録し、入力される信号の信号レベルが所定値以下であることを検出するとともに、その期間を計時し、上記入力信号レベルが所定値以下である検出が所定期間継続したと判別された場合に上記記録媒体への記録チャンネル数を減じる構成とした。
【００１５】
【発明の実施の形態】
以降、本発明の実施の形態について説明する。本実施の形態の記録装置としては、ＭＤに対応して記録再生が可能な記録再生装置である、ＭＤレコーダ／プレーヤを例に挙げることとする。そして、このＭＤレコーダ／プレーヤとしては、ＣＤプレーヤとラジオとが一体化された、複合型機器としての構成を採っているものとする。
なお、以降の説明は次の順序で行う。
１．複合機器の構成
２．ＭＤトラックフォーマット
３．Ｕ−ＴＯＣ
４．ステレオ録音モードとモノラル録音モード
５．本実施の形態の録音モード切換動作
５−１．概要
５−２．処理動作
【００１６】
１．複合型機器の構成
続いて、本実施の形態としての複合型機器の構成について図１を参照して説明する。
図１において、ＭＤ９０（光磁気ディスク）は、ＭＤに対する記録再生動作を行うＭＤ部に装填される。
ＭＤ９０は音声データを記録できるメディアとして用いられ、記録／再生時にはスピンドルモータ２により回転駆動される。
光学ヘッド３は光磁気ディスクとしてのＭＤ９０に対して記録／再生時にレーザ光を照射することで、記録／再生時のヘッドとしての動作を行なう。即ち記録時には記録トラックをキュリー温度まで加熱するための高レベルのレーザ出力を行い、また再生時には磁気カー効果により反射光からデータを検出するための比較的低レベルのレーザ出力を行う。
【００１７】
このため、光学ヘッド３はレーザダイオードや、偏光ビームスプリッタや対物レンズ等からなる光学系、及び反射光を検出するためのディテクタが搭載されている。対物レンズ３ａは２軸機構４によってディスク半径方向及びＭＤ９０に接離する方向に変位可能に保持されており、また、光学ヘッド３全体はスレッド機構５によりＭＤ９０の半径方向に移動可能とされている。
また、磁気ヘッド６ａはＭＤ９０を挟んで光学ヘッド３と対向する位置に配置されている。この磁気ヘッド６ａは供給されたデータによって変調された磁界をＭＤ９０に印加する動作を行なう。
磁気ヘッド６ａは光学ヘッド３とともにスレッド機構５によりディスク半径方向に移動可能とされている。
【００１８】
再生動作時に光学ヘッド３によりＭＤ９０から検出された情報はＲＦアンプ７に供給される。ＲＦアンプ７は供給された情報の演算処理により、再生ＲＦ信号、トラッキングエラー信号、フォーカスエラー信号、グルーブ情報（ＭＤ９０の記録トラックであるグルーブに形成されたウォブル（蛇行）形状として記録されている絶対位置情報）等を抽出する。そして、抽出された再生ＲＦ信号はエンコーダ／デコーダ部８に供給される。
また、トラッキングエラー信号、フォーカスエラー信号はサーボ回路９に供給され、グルーブ情報はアドレスデコーダ１０に供給されて復調される。グルーブ情報からデコードされたアドレス情報、及びデータとして記録されエンコーダ／デコーダ部８でデコードされたアドレス情報、サブコード情報などは、マイクロコンピュータによって構成されるＭＤコントローラ１１に供給され、各種制御に用いられる。
なお、ＭＤコントローラ１１は、ＭＤ部における各種動作制御を実行する部位として機能する。
【００１９】
サーボ回路９は供給されたトラッキングエラー信号、フォーカスエラー信号や、ＭＤコントローラ１１からのトラックジャンプ指令、アクセス指令、スピンドルモータ２の回転速度検出情報等により各種サーボ駆動信号を発生させ、２軸機構４及びスレッド機構５を制御してフォーカス及びトラッキング制御を行ない、またスピンドルモータ２を一定線速度（ＣＬＶ）に制御する。
【００２０】
再生ＲＦ信号はエンコーダ／デコーダ部８でＥＦＭ復調、ＣＩＲＣ等のデコード処理された後、メモリコントローラ１２によって一旦バッファメモリ１３に書き込まれる。なお、光学ヘッド３によるＭＤ９０からのデータの読み取り及び光学ヘッド３からバッファメモリ１３までの系における再生データの転送は1.41Mbit/secで、しかも間欠的に行なわれる。
【００２１】
バッファメモリ１３に書き込まれたデータは、再生データの転送が0.3Mbit/sec となるタイミングで読み出され、エンコーダ／デコーダ部１４に供給される。そして、音声圧縮処理に対するデコード処理等の再生信号処理を施され、１６ビット量子化、44.1KHz サンプリングの音声データとされる。そしてＤ／Ａ変換器１５によってアナログ信号とされた後、切換回路５０の端子ＴMDに供給される。ＭＤ９０の再生動作時には、装置全体の動作を制御するシステムコントローラ２１により切換回路５０が端子ＴMDに接続されるように制御されており、従ってエンコーダ／デコーダ部１４から出力されＤ／Ａ変換器１５によってアナログ信号とされた再生音声信号は、切換回路５０を介して音量調節部５１、パワーアンプ５２に供給されて、スピーカ５３から再生音声として出力される。
【００２２】
なお、バッファメモリ１３へのデータの書込／読出は、メモリコントローラ１２によって書込ポインタと読出ポインタの制御によりアドレス指定されて行なわれるが、上記のように書込と読出のビットレートに差異がもたされることで、バッファメモリ１３内には常に或る程度データが蓄積された状態となる。
このようにバッファメモリ１３を介して再生音声信号を出力することにより、例えば外乱等でトラッキングが外れた場合などでも、再生音声出力が中断してしまうことはなく、バッファメモリ１３にデータ蓄積が残っているうちに例えば正しいトラッキング位置までにアクセスしてデータ読出を再開することで、再生出力に影響を与えずに動作を続行できる。即ち、耐振機能を著しく向上させることができる。
【００２３】
また、この記録再生装置ではデジタルインターフェース５４が設けられ、再生時にエンコーダ／デコーダ部１４でデコードされた再生データはデジタルインターフェース５４にも供給される。デジタルインターフェース５４では、再生データや、再生時に同時に抽出されるサブコード情報などを用いて所定のデジタルインターフェースフォーマットのデータストリームにエンコードを行い、デジタル出力端子５６から出力できる。例えば光デジタル信号として出力する。即ち再生データを、デジタルデータのままで外部機器に出力できる。
【００２４】
アナログ入力端子１７には、外部オーディオ機器等（図示せず）から出力されたアナログオーディオ信号が供給される。アナログ入力端子１７は切換回路５７の端子Ｔｃと接続されている。
【００２５】
この切換回路５７は、後述するＦＭ／ＡＭチューナ部６１から出力されるラジオ音声としてのオーディオ信号（端子Ｔｂに対して接続される）と、上記アナログ入力端子１７を介して入力されたオーディオ信号（端子Ｔｃに対して接続される）との何れかを選択して、端子Ｔａを介してＡ／Ｄ変換器１８に対して出力する。この切換回路５７における端子切換動作は、システムコントローラ２１によって制御される。
【００２６】
ＭＤ９０に対して入力されたアナログ信号を記録するための記録動作を実行する際には、例えば、上記切換回路５７にて選択された記録信号（ラジオ音声信号かアナログ入力端子１７を介して入力されたオーディオ信号の何れかとなる）を、Ａ／Ｄ変換器１８によって１６ビット量子化、44.1KHz サンプリングのデジタルデータとしてエンコーダ／デコーダ部１４に供給する。エンコーダ／デコーダ部１４では、データ量を約１／５に圧縮する音声圧縮エンコード処理を施す。
また、ＭＤ９０に対しては、デジタルインターフェース５４を介して取り込まれたデータを記録することもできる。即ち外部機器からデジタル入力端子５５に供給された信号（デジタルインターフェースフォーマットの信号）はデジタルインターフェース５４でデコードされ、音声データとサブコード等が抽出される。このときサブコード等の制御情報はシステムコントローラ２１に供給され、記録データとしての音声データ（１６ビット量子化、44.1KHz サンプリングのデジタルデータ）はエンコーダ／デコーダ部１４に供給され、データ量を約１／５に圧縮する音声圧縮エンコード処理が施される。
さらにＭＤ９０に対しては、後述するＣＤ部でＣＤ９１から再生された音声データを記録することもできる。いわゆるダビング記録である。この場合、ＣＤ９１から再生され、ＥＦＭ／ＣＩＲＣデコーダ３７から出力されたオーディオデータ（１６ビット量子化、44.1KHz サンプリングのデジタルデータ）である、ＣＤ再生データｃｄｇが、エンコーダ／デコーダ部１４に供給され、データ量を約１／５に圧縮する音声圧縮エンコード処理が施される。
【００２７】
また、デジタル入力ＰＬＬ回路５８は、デジタルインターフェイス５４を介して入力されたデジタルオーディオデータ、又は後述するＣＤ部から出力されるＣＤ再生データＣｄｇを入力することで、入力されたオーディオデータに挿入されている同期信号（同期パターン）に同期したクロックＣＬＫ・Ｍを生成する部位とされる。このクロックＣＬＫ・Ｍとしては、例えばｆｓ＝４４．１ＫＨｚを基底として逓倍した所定周波数を有する。
そして、このクロックＣＬＫ・Ｍは、分周又は逓倍されて所要の周波数に変換されて、デジタル形態のままＭＤ部に入力されたデータの記録時において、少なくとも、エンコーダ／デコーダ部１４内の信号処理及び、その入出力のデータ転送のためのクロックとして利用することができる。
【００２８】
エンコーダ／デコーダ部１４によって圧縮された記録データはメモリコントローラ１２によって一旦バッファメモリ１３に書き込まれ、また所定タイミングで読み出されてエンコーダ／デコーダ部８に送られる。そしてエンコーダ／デコーダ部８でＣＩＲＣエンコード、ＥＦＭ変調等のエンコード処理された後、磁気ヘッド駆動回路６に供給される。
【００２９】
磁気ヘッド駆動回路６はエンコード処理された記録データに応じて、磁気ヘッド６ａに磁気ヘッド駆動信号を供給する。つまり、ＭＤ９０に対して磁気ヘッド６ａによるＮ又はＳの磁界印加を実行させる。また、このときＭＤコントローラ１１は光学ヘッドに対して、記録レベルのレーザ光を出力するように制御信号を供給する。
【００３０】
ところで、ＭＤ９０に対して記録／再生動作を行なう際には、ＭＤ９０に記録されている管理情報、即ちＰ−ＴＯＣ（プリマスタードＴＯＣ）、Ｕ−ＴＯＣ（ユーザーＴＯＣ）を読み出す必要がある。ＭＤコントローラ１１はこれらの管理情報に応じてＭＤ９０上の記録すべきエリアのアドレスや、再生すべきエリアのアドレスを判別することとなる。この管理情報はバッファメモリ１３に保持される。このためバッファメモリ１３には、上記した記録データ／再生データのバッファエリアと、これら管理情報を保持するエリアが分割設定されている。
そして、ＭＤコントローラ１１はこれらの管理情報を、ＭＤ９０が装填された際に管理情報の記録されたディスクの最内周側の再生動作を実行させることによって読み出し、バッファメモリ１３に記憶しておき、以後そのＭＤ９０に対する記録／再生動作の際に参照できるようにしている。
【００３１】
また、Ｕ−ＴＯＣはデータの記録や消去に応じて編集されて書き換えられるものであるが、ＭＤコントローラ１１は記録／消去動作のたびにこの編集処理をバッファメモリ１３に記憶されたＵ−ＴＯＣ情報に対して行ない、その書換動作に応じて所定のタイミングでＭＤ９０のＵ−ＴＯＣエリアについても書き換えるようにしている。
【００３２】
この記録再生装置では、さらにＣＤに対応する再生系であるＣＤ部を備える。再生専用の光ディスクであるＣＤ９１はＣＤ再生動作を行うＣＤ部に装填される。
【００３３】
ＣＤ９１はＣＤ再生動作時においてスピンドルモータ３１によって一定線速度（ＣＬＶ）で回転駆動される。そして光学ヘッド３２によってＣＤ９１にピット形態で記録されているデータを読み出され、ＲＦアンプ３５に供給される。光学ヘッド３２において対物レンズ３２ａは２軸機構３３によって保持され、トラッキング及びフォーカス方向に変位可能とされる。
また光学ヘッド３２はスレッド機構３４によってＣＤ９１の半径方向に移動可能とされる。
【００３４】
ＲＦアンプ３５では再生ＲＦ信号のほか、フォーカスエラー信号、トラッキングエラー信号を生成し、これらのエラー信号はサーボ回路３６に供給される。
サーボ回路３６はフォーカスエラー信号、トラッキングエラー信号から、フォーカス駆動信号、トラッキング駆動信号、スレッド駆動信号、スピンドル駆動信号の各種駆動信号を生成し、２軸機構３３、スレッド機構３４、及びスピンドルモータ３１の動作を制御する。
【００３５】
再生ＲＦ信号はデコーダ３７に供給される。デコーダ３７では先ず入力された再生ＲＦ信号について二値化を行ってＥＦＭ信号を得る。そして、このＥＦＭ信号についてＥＦＭ復調，ＣＩＲＣデコード等を行なってＣＤ９１から読み取られた情報を１６ビット量子化、44.1KHz サンプリングのデジタル音声データ形態にデコードする。
【００３６】
またデコーダ３７ではＴＯＣやサブコード等の制御データも抽出可能な構成を採っているが、これらＴＯＣ及びサブコードは、システムコントローラ２１に供給され、各種制御に用いられる。
【００３７】
また、デコーダ３７における二値化処理により得られたＥＦＭ信号はＰＬＬ回路３９に対しても供給される。
ＰＬＬ回路３９は、入力されたＥＦＭ信号のチャンネルビットに同期したクロックＰＬＣＫを出力する。このクロックＰＬＣＫの周波数としては、定常の１倍速では４．３２１８ＭＨｚとされる。そして、クロックＰＬＣＫは、例えばデコーダ３７以降の信号処理回路系のクロックとして利用される。
【００３８】
デコーダ３７から出力されるデジタル音声データは、Ｄ／Ａ変換器３８によってアナログ信号とされ、切換回路５０に端子ＴCDに供給される。ＣＤ再生動作時にはシステムコントローラ２１は切換回路５０に端子ＴCDを選択させており、従ってＣＤ９１から再生されＤ／Ａ変換器３８によってアナログ信号とされた再生音声信号は、切換回路５０を介して音量調節部５１、パワーアンプ５２に供給されて、スピーカ５３から再生音声として出力される。
【００３９】
また本実施の形態では、ＣＤ再生データをＭＤ９０側に出力して記録する、いわゆるダビング記録を行うことができるが、その場合は、デコーダ３７から出力されるデジタル音声データがそのままエンコード／デコード部１４に供給されることになる。
また、デコーダ３７から出力されるデジタル音声データについても、デジタルインターフェース５４に供給されることで、デジタル出力端子５６から外部機器に、デジタルデータ形態のＣＤ再生データＣｄｇを出力することができる。
【００４０】
ＣＤ９１の再生時には、ＣＤ９１に記録されている管理情報、即ちＴＯＣを読み出す必要がある。システムコントローラ２１はこの管理情報に応じてＣＤ９１に収録されたトラック数、各トラックのアドレスなどを判別し、再生動作制御を行うことになる。このためシステムコントローラ２１はＣＤ９１が装填された際にＴＯＣが記録されたディスクの最内周側の再生動作を実行させることによって読み出し、例えば内部ＲＡＭに記憶しておき、以後そのＣＤ９１に対する再生動作の際に参照できるようにしている。
【００４１】
また、この複合型機器においては、ラジオ機能としてＦＭ／ＡＭチューナ部６１が備えられる。このＦＭ／ＡＭチューナ部６１はＦＭ放送及びＡＭ放送を受信可能な構成とされている。
このＦＭ／ＡＭチューナ部６１では、アンテナ６０にて受信された受信波を選局、復調して音声信号を得る。この音声信号は、切換スイッチ５７に対して出力されると共に、分岐して切換回路５０の端子ＴTNに対しても供給される。
チューナ音声を聴くためのラジオモードとされている場合には、システムコントローラ２１は切換回路５０に端子ＴTNを選択させている。これにより、ＦＭ／ＡＭチューナ部６１から出力された音声信号は、切換回路５０を介して音量調節部５１、パワーアンプ５２に供給されて、スピーカ５３からラジオ音声として出力される。
ここで、ＦＭ／ＡＭチューナ部６１における選局動作は、後述する操作部１９に対して行われた選局操作によってシステムコントローラ２１により制御される。
【００４２】
また、本実施の形態にあっては、ＭＤコントローラ１１は、記録時において、メモリコントローラ１２の処理によってバッファメモリ１３に対する蓄積のために書き込みが行われるデータの状態を検出するようにされている。そして、検出すべきデータ（信号）の状態として、１つには無音の状態であるか否かを検出し、また１つには、ステレオ音声とモノラル音声の何れに対応するのかを検出する。
【００４３】
ここで、無音区間の判定に関しては、例えば入力される音声信号レベルを検出して、無音とみなされる所定レベル以下となった状態が例えば或る一定時間（例えば数秒程度）以上得られたときに無音区間であると判定するように構成すればよい。
また、ステレオ音声とモノラル音声の判別に関しては、例えばＬ（左）チャンネルとＲ（右）チャンネルの各音声信号について減算処理を行うようにすることが考えられる。つまり、モノラル音声信号であれば、ＬチャンネルとＲチャンネルの各音声信号は同一であるわけであるから、減算を行えばほぼ０に近いレベルが得られる。従って、減算により得られるレベルが所定以下となったときにはモノラルであると判定し、所定以上であればステレオであると判定すればよいものである。
【００４４】
本実施の形態にあっては、無音状態の判別結果及びステレオ／モノラルの判別結果は、後述するようにして、ステレオ録音モードとモノラル録音モードとの切換を行う際に利用される。
【００４５】
システムコントローラ２１は装置全体を制御するマイクロコンピュータとされるが、ＭＤ部に対する動作制御をＭＤコントローラ１１に実行させるためにＭＤコントローラ１１に各種指示を与える。またＭＤ９０の記録再生時には、ＭＤコントローラ１１からサブコード等の管理情報を受け取ることになる。
またＣＤ部に関しては、例えばシステムコントローラ２１が直接動作制御を行うようにされる。またＦＭ／ＡＭチューナ部６１に関しても、システムコントローラ２１が直接動作制御を行う。
【００４６】
なお、このような制御系の形態は一例であり、例えばＣＤ側の制御を行うＣＤコントローラを設けるようにしてもよいし、さらにはシステムコントローラ２１とＭＤコントローラ１１を一体化するような構成を採ってもよい。
【００４７】
操作部１９には、録音キー、再生キー、停止キー、ＡＭＳキー、サーチキー、ダビングキー（定常速ダビング／高速ダビングの設定が可能とされる）等がユーザー操作に供されるように設けられ、ＭＤ９０及びＣＤ９１に関する再生／記録操作を行なうことができるようにされている。
またトラックネームなどの付随データをＭＤ９０に記録するための文字列の入力や登録決定操作、登録モード操作なども可能とされている。
また、ＦＭ／ＡＭチューナ部６１に対する選局や、例えば更には受信周波数のプリセット等に関する操作も行うことが可能とされている。
操作部１９からの操作情報はシステムコントローラ２１に供給され、システムコントローラ２１はその操作情報と動作プログラムに基づいて各部に対する所要の動作を実行させる。
なお図示していないが、操作部１９としては、例えば赤外線リモートコマンダーによる遠隔操作機能を付加してもよい。
【００４８】
また表示部２０ではＭＤ９０，ＣＤ９１の再生時、録音時などに所要の表示動作が行なわれる。例えば総演奏時間、再生や録音時の進行時間などの時間情報や、トラックナンバ、動作状態、動作モードなどの各種の表示がシステムコントローラ２１の制御に基づいて行なわれる。
【００４９】
このように構成される本例の記録再生装置では、ＭＤ再生動作、ＭＤ記録動作、ＣＤ再生動作、またＣＤからＭＤへのダビング動作、チューナ音声信号のＭＤへの記録動作、及び外部オーディオ信号（オーディオデータ，アナログオーディオ信号）のＭＤへの記録が可能とされる。
【００５０】
２．ＭＤトラックフォーマット
ここで光磁気ディスク（ＭＤ）９０の記録データトラックのクラスタフォーマットについて説明する。
ミニディスクシステムにおける記録動作はクラスタという単位で行われるが、このクラスタのフォーマットは図２に示される。
ミニディスクシステムでの記録トラックとしては図２のようにクラスタＣＬが連続して形成されており、１クラスタが記録時の最小単位とされる。１クラスタは２〜３周回トラック分に相当する。
【００５１】
そして１クラスタＣＬは、セクターＳFC〜ＳFFとされる４セクターのサブデータ領域と、セクターＳ00〜Ｓ1Fとして示す３２セクターのメインデータ領域から形成されている。メインデータとは、オーデイオ用の場合は上記ＡＴＲＡＣ処理により圧縮されたオーデイオデータとなる。
１セクタは２３５２バイトで形成されるデータ単位である。
４セクターのサブデータ領域はサブデータやリンキングエリアとしてなどに用いられ、ＴＯＣデータ、オーディオデータ等の記録は３２セクターのメインデータ領域に行なわれる。リンキングエリアのセクターは、エラー訂正処理を施す際にＣＤ等で採用されている１セクター長(13.3msec)と比較して今回採用したＣＩＲＣのインターリーブ長が長いので、そのつじつまをあわせる為に設けられている捨てセクタであり、基本的にはリザーブエリアとされるが、これらのセクターは何らかの処理や何らかの制御データの記録に用いることも可能である。
なお、アドレスは１セクター毎に記録される。
【００５２】
また、セクターはさらにサウンドグループという単位に細分化され、２セクターが１１サウンドグループに分けられている。
つまり図示するように、セクターＳ00などの偶数セクターと、セクターＳ01などの奇数セクターの連続する２つのセクターに、サウンドグループＳＧ00〜ＳＧ0Aが含まれる状態となっている。１つのサウンドグループは４２４バイトで形成されており、11.61msec の時間に相当する音声データ量となる。
１つのサウンドグループＳＧ内にはデータがＬチャンネルとＲチャンネルに分けられて記録される。例えばサウンドグループＳＧ00はＬチャンネルデータＬ０とＲチャンネルデータＲ０で構成され、またサウンドグループＳＧ01はＬチャンネルデータＬ１とＲチャンネルデータＲ１で構成される。
なお、Ｌチャンネル又はＲチャンネルのデータ領域となる２１２バイトをサウンドフレームとよんでいる。そして、この１サウンドグループ内のＬチャンネルとＲチャンネルのサウンドフレームに対応するステレオ音声の再生（記録）時間としては、１１．６１ｍｓとなる。
【００５３】
３．Ｕ−ＴＯＣ
光磁気ディスク（ＭＤ）９０には、上記図２に示したようなクラスタフォーマットが全領域にわたって形成されるが、半径方向に分割されるエリアとして最内周側が管理領域とされ、その管理領域に続いてプログラム領域が形成される。
なお、ディスク最内周側は位相ピットにより再生専用データが記録される再生専用領域が設けられ、その再生専用領域に続いて光磁気記録再生可能な光磁気領域が形成される。上記管理領域は、再生専用領域と、光磁気領域の最内周部分となる。
【００５４】
光磁気領域の管理領域に続いてプログラム領域が形成されるが、そのプログラム領域においては、上記図３のメインデータ領域としての各セクターにオーディオデータが記録されていく。
一方、管理領域として、再生専用領域にはディスク全体のエリア管理等を行うＰ−ＴＯＣ（プリマスタードＴＯＣ）が設けられ、それに続く光磁気領域での管理領域に、プログラム領域に記録された各プログラム（楽曲等）を管理する目録情報（Ｕ−ＴＯＣ：所謂user table of contents）が記録される。
【００５５】
ここで、ＭＤ９０においてトラック（楽曲等）の記録／再生動作などの管理を行なう管理情報として、Ｕ−ＴＯＣセクターについて説明する。
図３はＵ−ＴＯＣセクター０のフォーマットを示すものである。
なお、Ｕ−ＴＯＣセクターとしてはセクター０〜セクター３１まで設けることができる。つまり管理領域における１クラスタの各セクター（Ｓ00〜Ｓ1F）を用いることができる。そしてセクター１，セクター４は文字情報、セクター２は録音日時を記録するエリアとされる。
Ｕ−ＴＯＣセクター０は、主にユーザーが録音を行なった楽曲や新たに楽曲が録音可能なフリーエリアについての管理情報が記録されているデータ領域とされる。即ちセクター０ではプログラム領域に記録されている各プログラムの起点（スタートアドレス）、終点（エンドアドレス）や、各プログラムの性格（トラックモード）としてのコピープロテクト情報、エンファシス情報等が管理されている。
【００５６】
例えばディスク１に或る楽曲の録音を行なおうとする際には、システムコントローラ２１は、Ｕ−ＴＯＣセクター０からディスク上のフリーエリアを探し出し、ここに音声データを記録していくことになる。また、再生時には再生すべき楽曲が記録されているエリアをＵ−ＴＯＣセクター０から判別し、そのエリアにアクセスして再生動作を行なう。
【００５７】
図３に示すようにＵ−ＴＯＣセクター０には、１２バイトでシンクパターンが形成されるヘッダ部に続いて、当該セクターのアドレスとして３バイトのデータ（「Cluster H 」「Cluster L 」「SECTOR」）と、ディスクの製造元を示すメーカコード（「maker code」）とモデルコード（「model code」）、最初のプログラム番号（「First TNO 」）、最後のプログラム番号（「Last TNO」）、セクター使用状況（「used sectors」）、ディスクシリアル番号（「disc serial No」）、ディスクＩＤ等が記録されている。
【００５８】
更にディスク上に生じた欠陥位置情報を格納するスロットの先頭位置を示すポインタP-DFA （Pointer for defective area）と、スロットの使用状況を示すポインタP-EMPTY （pointer for Empty slot）、記録可能領域を管理するスロットの先頭位置を示すポインタP-FRA （Pointer for Freely area ）、各プログラム番号に対応したスロットの先頭位置を各々示すポインタP-TNO1,P-TNO2,.............,P-TNO255から構成される対応テーブル指示データ部が記録されている。
【００５９】
続いて各８バイトのスロットが２５５個設けられている管理テーブル部が設けられる。各スロットにはスタートアドレス、エンドアドレス、トラックモード、リンク情報が管理されている。
本例の光磁気ディスク９０は、記録媒体上にデータを必ずしも連続した形態で記録しなくてもよく、シーケンシャルなデータ列を記録媒体上で離散して（複数のパーツとして）記録してもいいことになっている（なおパーツとは時間的に連続したデータが物理的に連続したクラスタに記録されている部分を指す）。
【００６０】
すなわちディスク９０に適応される記録再生装置（図１のＭＤ部）では上述のようにデータを一旦バッファメモリ１３に蓄積することと、バッファメモリ１３への書込レートと読出レートを変えるようにしたので、光学ヘッド３をディスク９０上に離散的に記録されたデータに順次アクセスさせてはバッファメモリ１３にデータを蓄積させることで、バッファメモリ１３上ではシーケンシャルなデータ列に復元して再生することができる。
このように構成しても再生時のバッファメモリ１３への書込レートを読出レートより早くしているので連続した音声再生が妨げられる事はない。
【００６１】
また、既に記録済みのプログラムの上に記録済みのプログラムより短いプログラムを上書きしても、余った部分を消去することなく記録可能領域（ポインタP-FRA から管理される領域）として指定することで効率よく記録容量を使用することができる。
【００６２】
記録可能領域を管理するポインタＰ−ＦＲＡの例を用いて離散的に存在するエリアの結合方法について図４を用いて説明する。
記録可能領域を管理するスロットの先頭位置を示すポインタP-FRA に例えば03h( hexia-decimal) という値が記録されたとすると、続いてこの「03h 」に対応するスロットがアクセスされる。即ち管理テーブル部におけるスロット０３ｈのデータが読み込まれる。
スロット０３ｈに記録されているスタートアドレス及びエンドアドレスデータはディスク上に記録された１つのパーツの起点と終点を示す。
スロット０３ｈに記録されているリンク情報は次に続くべきスロットのアドレスを示しており、この場合は１８ｈが記録されている。
スロット１８ｈに記録されているリンク情報を次にたどってスロット２Ｂｈをアクセスしスロット２Ｂｈに記録されているスタートアドレス及びエンドアドレスとしてディスクの１つのパーツの起点と終点を把握する。
さらに同様にリンク情報として「００ｈ」のデータが現われる迄リンク情報をたどっていくことで、ポインタP-FRA から管理される全パーツのアドレスを把握できる。
【００６３】
このようにポインタP-FRA によって指示されるスロットを起点にリンク情報がnull（＝００ｈ）になるまでスロットを辿り、ディスク上に離散的に記録されたパーツをメモリ上でつなげることが可能となる。この場合、ディスク９０上の記録か納涼域としての全パーツが把握できる。
この例ではポインタP-FRA を例に説明したがポインタP-DFA 、P-EMPTY 、P-TNO1,P-TNO2,.............,P-TNO255も同様に離散的に存在するパーツを結合して管理する。
【００６４】
４．ステレオ録音モードとモノラル録音モード
本実施の形態のＭＤ部においては、通常は入力されたオーディオ信号を、ステレオ信号として処理して、ステレオモードによりＭＤへの記録を行うようにされる。これがステレオ録音モードである。
そして、これに加えて、本実施の形態のＭＤ部においては、入力されたオーディオ信号をモノラル信号として処理して、モノラルモードによってＭＤへの記録を行う、モノラル録音モードも設けられている。
【００６５】
そこで、本実施の形態におけるステレオ録音モードと、モノラル録音モードの各フォーマットについて説明する。
図５には、オーディオデータのストリームがサウンドフレーム単位によって示されており、図５（ａ）には、ステレオ録音モードによりステレオデータを録音（記録）する場合が示されている。
【００６６】
図５（ａ）に示すようにして、ステレオ録音モードによりステレオデータを録音（記録）する際には、先に図２によっても説明したように、或る１サウンドグループＳＧ内におけるＬ（左）チャンネル（Ｌｃｈ）のサウンドフレームＳＦ−ＬとＲ（右）チャンネル（Ｒｃｈ）のサウンドフレームＳＦ−Ｒに対して、それぞれ、ＬチャンネルとＲチャンネルの音声データＬ０，Ｒ０を格納し、例えば次の１サウンドグループＳＧ内にあっても、サウンドフレームＳＦ−Ｌ，ＳＦ−Ｒに対して、それぞれＬチャンネルとＲチャンネルの音声データＬ１，Ｒ１を格納していくようにされる。
【００６７】
また、ステレオ録音モードのもとで、モノラルデータを記録する場合もあるが、この場合には、例えば図５（ｂ）に示すようにして記録が行われる。
つまり、或る１サウンドグループＳＧ内のサウンドフレームＳＦ−Ｌ，ＳＦ−Ｒに対して、それぞれ、同じモノラルデータＭＮ０，ＭＮ０を格納する。そしてこれに時系列的に続くモノラルデータＭＮ１，ＭＮ１を、次のサウンドグループＳＧのサウンドフレームＳＦ−Ｌ，ＳＦ−Ｒに対してそれぞれ格納していくようにされる。
このようにして記録されたデータを再生する際には、例えば、通常のステレオモードによる再生を行うことで、１サウンドグループＳＧ内のサウンドフレームＳＦ−Ｌ，ＳＦ−Ｒの音声信号を同時出力することになるため、結果的には、モノラル音声として出力することができる。
ここで、上記のようにして記録が行われた場合、再生される音声はモノラルであっても、単位時間あたりの音声信号に対応して使用されるＭＤの記録領域サイズは、ステレオデータの記録時と同じとなるために、記録領域の節約は図れない。つまり、ＭＤの記録可能時間を長くすることは出来ない。
【００６８】
そして、モノラル録音モードの場合には、図５（ｃ）に示すようにして記録が行われる。
この場合には、図のようにして或るサウンドグループＳＧ内のサウンドフレームＳＦ−Ｌに対して先ずモノラルデータＭＮ０を格納する。そしてこれに続くサウンドフレームＳＦ−Ｒに対しては、時系列的にモノラルデータＭＮ０に続くモノラルデータＭＮ１を格納する。そして、次のサウンドグループＳＧのサウンドフレームＳＦ−Ｌに対して、モノラルデータＭＮ１に続くモノラルデータＭＮ２を格納し、これに続くサウンドフレームＳＦ−Ｒに対しては、モノラルデータＭＮ２に続くモノラルデータＭＮ３を格納していくようにされる。
【００６９】
このようにしてモノラル録音モードによる記録が行われる場合、或る単位時間あたりの音声信号を記録するのに使用される領域サイズとしては、ステレオ録音モード時の１／２となることが分かる。
１サウンドグループＳＧのサウンドフレームＳＦ−Ｌ，ＳＦ−Ｒとしてのステレオ音声の再生時間は、先に図２において述べたように１１．６１ｍｓとされるのであるが、モノラル録音モードにより記録された場合には、１サウンドグループＳＧ内のサウンドフレームＳＦ−Ｌ，ＳＦ−Ｒのデータが時間軸に従って順次再生されるように処理が行われるため、その再生時間としては、１１．６１ｍｓ×２＝２３．２２ｍｓとなり、２倍に延長される。
【００７０】
図６は、このようなステレオ録音モード時と、モノラル録音モード時とでのフォーマットの相違をクラスタ単位で比較しているものであるが、この図により、モノラル録音モード時の記録終了時の処理を説明する。
図６（ａ）は、例えば或る音声データをステレオ録音モードにより記録した場合として、その総クラスタ数が偶数とされる場合を示している。ここでは、クラスタＣＬ（Ｎ）〜クラスタＣＬ（Ｎ＋５）の６クラスタに対して記録が行われるものと仮定している。
【００７１】
ここで、例えば音声データをモノラル録音モードで記録した場合には、先の図５による説明から分かるように、記録に使用される領域サイズはちょうどステレオ録音モード時の１／２となるために、例えばステレオ録音モード時に図６（ａ）のクラスタＣＬ（Ｎ）（Ｎ＋１）の連続する２クラスタに格納されるデータは、モノラル録音モード時には、図６（ｂ）に示すようにして、クラスタ（Ｎ）で示される１クラスタにちょうど納められることになる。そして、以降、図６（ａ）のクラスタＣＬ（Ｎ＋２）（Ｎ＋３）に格納されるデータは、図６（ｂ）のクラスタ（Ｎ＋１）で示される１クラスタにちょうど納められ、更に、図６（ａ）のクラスタＣＬ（Ｎ＋４）（Ｎ＋５）に格納されるデータは、図６（ｂ）のクラスタ（Ｎ＋２）で示される１クラスタにちょうど納められる。
この結果、例えばこの場合のようにして、ステレオ録音モードであれば６クラスタという偶数クラスタを使用するサイズのデータは、モノラル録音モード時には、ちょうど３クラスタの領域サイズを使用することになるものである。
【００７２】
これに対して、音声データをステレオ録音モードにより記録した場合として、その総クラスタ数が奇数となるサイズの音声データをモノラル録音モードにより記録する場合には次のようになる。
図６（ｃ）においては、ステレオ録音モードによりクラスタＣＬ（Ｎ）〜クラスタＣＬ（Ｎ＋４）の５クラスタに対して記録が行われるものとしている。
そして、この５クラスタ（即ち奇数クラスタ）を占有する音声データをモノラル録音モードにより記録した場合には、図６（ｄ）に示すようになる。
【００７３】
つまり、ステレオ録音モード時に図６（ｃ）のクラスタＣＬ（Ｎ）（Ｎ＋１）の連続する２クラスタに格納されるデータは、モノラル録音モード時には、図６（ｄ）に示すようにして、クラスタ（Ｎ）で示される１クラスタにちょうど納められる。そして、次の図６（ｃ）のクラスタＣＬ（Ｎ＋２）（Ｎ＋３）に格納されるデータは、図６（ｄ）のクラスタ（Ｎ＋１）で示される１クラスタにちょうど納められる。ここまでは、図６（ａ）と図６（ｂ）の関係と同様となる。
但しこの場合には、図６（ｃ）における最後のクラスタＣＬ（Ｎ＋４）に格納されるオーディオデータは、図６（ｄ）のクラスタ（Ｎ＋２）で示される１クラスタのサイズを完全に埋めることは出来ない。つまり、図６（ｅ）に示すようにして、クラスタ（Ｎ＋２）の先頭から１／２の領域に対して格納され、残る領域には、オーディオデータは格納されない空き領域が生じる。つまり、このままでは、最後のクラスタ（Ｎ＋２）は、正規のクラスタサイズの１／２のサイズとなってしまう。
【００７４】
ここで、先にも述べたように、ＭＤに対する最小記録データ単位はクラスタであり、逆に言えば、クラスタ未満のサイズによってＭＤに対するデータの書き込みを行うことはできない。従って、例えば図６（ｅ）に示すままのクラスタサイズではＭＤへの書き込みは行えない。
【００７５】
そこで、このようにモノラル録音モード時において最後のクラスタに格納されるオーディオデータのサイズが、１クラスタ未満となる場合には、図６（ｆ）に示すようにして、１クラスタ内において、オーディオデータにより占有されない残る後ろの領域には、所定のデータパターンによるダミーデータを埋め込み、これによって、１クラスタのサイズを確保するものである。なお、この図６（ｆ）に示すようにして形成されるクラスタの再生信号処理時においては、クラスタ内のダミーデータ部分については捨てて、実のオーディオデータのみについて処理を行うことで正常な音声信号を復元するようにされる。
【００７６】
５．本実施の形態の録音モード切換動作
５−１．概要
これまでの説明を踏まえて、次に本実施の形態としての録音モード切換動作について説明する。
例えば、ＦＭ放送を例に採ると、ＦＭ放送としての音声は、通常はステレオ音声とされるが、例えば、楽曲によっては音源がモノラルであるためにモノラルとしての音声となったり、又は、ナレーションなどの部分でステレオからモノラルに切り替わることがある。また、場合によっては、数秒程度の無音状態となることも考えられる。また、例えば１枚のＣＤを再生している場合にも、ステレオのトラックとモノラルのトラックが混在していることはあり得るし、また、曲中若しくは曲間（トラック間）で或る程度の無音区間が得られるものである。つまりは、１つの入力ソースであっても、時間経過に従って上記のようにして信号状態に変化が得られるものである。
【００７７】
そして、上記のような信号状態の変化があることを踏まえて、本実施の形態にあっては、例えば或る音声ソース（オーディオ信号）を入力してＭＤに対して記録している際において、ＭＤコントローラ１１は、メモリコントローラ１２の制御によってバッファメモリ１３に書き込まれるデータの信号状態を検出する。そして、そのデータの状態として、ステレオとモノラルの何れであるのか、また、そのデータパターンとして無音区間にあるか否かを検出するようにされる。
そして、上記した検出結果に応じて、本実施の形態では、記録動作中において次のようにしてステレオ録音モードとモノラル録音モードとの切り換えを行うようにされる。
【００７８】
例えば、図７（ａ）には、記録が行われるべき入力ソースの信号状態の変化が時間経過に従って示されているものとされ、ここでは、先ず期間ｔ１〜ｔ２において、記録データが有音とされるステレオデータ（ステレオ音声信号としてのオーディオデータ）の状態にあるものとされている。このように、信号状態がステレオ音声であることが検出されているときには、図７（ｃ）に示すようにしてステレオ録音モードによって記録が行われる。また、このときには図７（ｄ）に示すようにして、トラックＴｒ＃Ｎの記録を行っているものとされている。
【００７９】
そして、この状態から時間が経過した或るタイミングで、例えば図７（ａ）の期間ｔ２〜ｔ３に示すようにして、これまでステレオとされていた信号状態から、モノラルとしての信号状態に変化したとする。或いは、ステレオ音声とされる状態であったとしても、無音区間としての信号状態が得られたとする。
すると、この場合には、これまでのステレオ録音モードによる記録を終了させ、モノラル録音モードによる記録に切り換えるようにする。
また、ＭＤのフォーマットとしては、１トラック内にステレオ録音モードによって録音される部分とモノラル録音モードによって録音される部分とを混在させることの無いように規定されている。そこで、このようにして録音モードが切り換えられる際には、図７（ｄ）に示すようにして、先のステレオ録音モードによる記録が終了した時点ｔ２においてトラックＴｒ＃Ｎとしての記録も終了させ、時点ｔ２以降からは、次のトラックＴｒ＃Ｎ＋１として管理して記録を行うようにされる。つまりトラックチェンジが行われる。
【００８０】
そして、例えば図７（ｄ）の期間ｔ３〜ｔ４において、これまでモノラル若しくは無音区間とされていた状態から、有音のステレオ音声としての信号状態に変化したとすると、これまでのモノラル録音モードからステレオ録音モードモードに切り換えて記録を行うようにされる。そして、この場合にも、時点ｔ３においてはこれまでのトラックＴｒ＃Ｎ＋１としての記録を終了させて、新規にトラックＴｒ＃Ｎ＋２にチェンジを行って記録を開始していくことになる。
【００８１】
また、図７（ｂ）にはクラスタ単位での記録データのシーケンス（データストリーム）が示されているが、これは、信号状態に応じて録音モードが切り替わる区間（期間ｔ１〜ｔ２，ｔ２〜ｔ３，ｔ３〜ｔ４）ごとに、クラスタ単位によるデータの書き込みが行われることを示しているものである。
そして、仮に、モノラル録音モードにより記録を行っている期間ｔ２〜ｔ３における最後のクラスタ内の構造として、例えば図６（ｅ）により説明したような状態となるのであれば、図６（ｆ）により説明したようにしてダミーデータが付加されてクラスタ単位を形成した上でＭＤに対する記録が行われるようにされる。
また、実際としては、例えば期間ｔ１〜ｔ２，若しくは期間ｔ２〜ｔ３の場合のように、ステレオ録音モードにより記録を行った場合の最後のクラスタにあっても、オーディオデータによって全クラスタサイズを形成することが出来ない場合には、ダミーデータが付加されて、クラスタ単位を形成するものである。
【００８２】
例えば従来としては、ステレオ録音モードにより記録を開始させたとすれば、以降は記録終了までステレオ録音モードによる記録が行われる。これは記録ソースとしての信号状態が例えばモノラル、若しくは無音区間であったとしても、ステレオ録音モードとしての記録フォーマット（図５（ａ）（ｂ）参照）によって記録が行われることを意味している。
つまり、例えばモノラルであっても、ステレオ録音モードとしての記録フォーマットによって記録されることで、この区間は、モノラル録音モードによる記録時よりも２倍の記録容量を消費しているということである。また、ステレオ録音モードによる録音を行うということは、ステレオ音声としてのソースをステレオ音声としての品質が維持できるように記録することを目的としているのに他ならないのであるが、例えば無音区間というのは、例えばこれがステレオ音声における区間であっても、敢えてステレオとしての品質を維持する必要は無く、モノラルによって記録されても差し支えないものである。
【００８３】
そこで本実施の形態では、上記図７に示すようにして、記録ソースの信号状態がモノラル音声又は無音区間であれば、自動的にモノラル録音モードに切り換えて記録を行うようにすることで、この区間は、ステレオ録音モード時の１／２のデータ使用量によって、同じ単位時間の音声信号の記録を行うことが可能になる。従って、１枚のＭＤ全体の記録容量としては、例えばこの記録可能領域の全てをステレオ録音モードのフォーマットにより記録する場合よりも、記録可能時間を長くすることが可能になるものである。つまり、公称７４分の記録時間のＭＤであっても、７４分よりも長時間の記録を行うことが可能になるものである。
そして本実施の形態の場合、逆に、ステレオ音声の場合には、ステレオ録音モードにより記録が行われるようにされるため、ステレオとしての有音部分は、ステレオとしての品質のまま記録されるものである。
【００８４】
ところで、先にも述べたように、本実施の形態の録音モード自動切換記録により録音モードが切り換えられる際にはトラックチェンジが伴う。また、先に図３により説明したＵ−ＴＯＣセクター０のフォーマットからも分かるように、ＭＤシステムとして管理可能な最大トラック数は２５５トラックとされている。つまり、トラックナンバとしては、トラックＴｒ＃１〜Ｔｒ＃２５５までが管理可能とされるものである。
このため、例えば或る録音ソースの信号状態として、ステレオ音声とモノラル音声間での変化、若しくは有音のステレオ音声と無音区間での変化が頻繁に行われるような場合に、記録途中でトラック数が２５５に到達する可能性が生じてくる。
【００８５】
このような録音状況の例を図１０に示す。ここで図１０（ａ）には録音ソースの状態が時間経過に従って示され、図８（ｂ）にはトラックナンバが示され、図１０（ｃ）には録音モードが示されている。
この図にあっては、図１０（ａ）の期間ｔ１〜ｔ２において録音ソースがステレオデータとされていることで、図１０（ｃ）に示すようにしてステレオ録音モードにより記録を行っている。そして、この期間ｔ１〜ｔ２としては、図１０（ｂ）に示すようにトラックＴｒ＃２５４の記録を行っているものとする。つまり、現時点で、２５４のトラックが記録され、記録可能な残るトラックはあと１つのみとされている状況である。
【００８６】
そして、時点ｔ２において録音ソースがモノラルデータ（又は無音区間）に変わったとすると、録音モードはモノラル録音モードに切り替わり、これに伴ってトラックチェンジが行われる。つまり、トラックＴｒ＃２５５に対する記録が開始されることになる。このトラックＴｒ＃２５５は、管理可能なトラックとしては最後のトラックであり、以降トラックチェンジは行われない。
そして、この時点ｔ２以降における時点ｔ３のタイミングで、例えば図１０（ａ）に示すようにして録音ソースがステレオデータに変わったとする。しかしこの場合、現在記録しているトラックはＴｒ＃２５５とされていることから、以降のトラックチェンジは行うことが出来ない。これは、換言すれば、以降においては録音モードの切換えも出来ないことを意味している。
従って、時点ｔ３以降においても、モノラル録音モードによるトラックＴｒ＃２５５の記録が継続されることになる。この結果、時点ｔ３以降において入力されるステレオデータは、ＭＤに対してはモノラルとして記録されることになる。このようにして、トラックＴｒ＃２５５においてモノラル録音モードとなった場合、たとえ記録ソースがステレオであったとしても、モノラル音声によってしか記録されないことになってしまう。これは再生時にあっても、モノラル音声によってしか再生されないことを意味する。
本実施の形態の録音モード自動切換記録としては、ＭＤのステレオ音声の記録は維持したうえで、出来るだけＭＤの記録可能時間を長くすることを目的とするのであるが、実際の使用を考えると、ステレオ音声部分については、やはりステレオのままで優先して記録することのほうが好ましい。
【００８７】
そこで、本実施の形態としての録音モード自動切換記録にあっては、次に説明するようにして記録時の規則を決めることで、２５５トラック目（管理可能最大トラック数に対応する最後のトラック）がモノラル録音モードにより記録されることが無いようにして、結果的に、ＭＤに記録されるデータとしては、ステレオ音声の録音ソース部分については、ステレオとして記録されるようにするものである。
【００８８】
ここで、図８（ｂ）に示すようにして、期間ｔ１〜ｔ２においてトラックＴｒ＃２５３（最後の２つ前のトラック）を記録している状態として、このときの録音ソースの信号状態が図８（ａ）に示すようにモノラルデータ（又は無音区間）とされていることで、図８（ｃ）に示すようにモノラル録音モードが設定されているとする。
【００８９】
そして、時点ｔ２において録音ソースがモノラルからステレオに変わったとすると図８（ｂ）に示すようにしてステレオ録音モードに切り替わるようにされる。そしてこれと共に、トラックチェンジが行われて記録トラックとしては、管理可能な最後のトラックの１つ前のトラックであるトラックＴｒ＃２５４となる。
【００９０】
そして、このようにしてトラックＴｒ＃２５４をステレオ録音モードにより記録している状態となった場合には、以降の録音モードの切換えとこれに伴うトラックチェンジは禁止するようにされる。
そして、例えば、図８の時点ｔ３として示すようにして、例えば録音ソースがステレオデータからモノラルデータに変わった場合であっても、ステレオ録音モードによるトラックＴｒ＃２５４の記録を継続させるものである。
このような規則とすることによって、実質的な最後のトラックはトラックＴｒ＃２５４となり、以降はステレオ録音モードによって記録が行われることで、録音ソースのステレオ音声部分についてはステレオによって記録していくようにされる。逆に言えば、先に図８に示したような、トラックＴｒ＃２５５（最後のトラック）においてモノラル録音モードが設定されることで、ステレオ音声をモノラルによって記録することを回避することができる。
【００９１】
これに対して、例えば図９（ａ）（ｂ）（ｃ）の期間ｔ１〜ｔ２に示すようにして、ステレオ録音モードによってトラックＴｒ＃２５３としてのステレオデータの記録を行っており、次の期間ｔ２〜ｔ３において録音ソースがモノラルデータ（又は無音区間）に切り替わって、トラック＃Ｔｒ２５４をモノラル録音モードにより記録するように切換が行われた場合には、例えば時点ｔ３において再度、録音ソースがステレオに変わったとすれば、トラックチェンジを行って、トラックＴｒ＃２５５の記録をステレオ録音モードにより行うようにされる。
この場合には、管理可能な最大トラック数に対応するトラック＃Ｔｒ２５５までを使いきっているため、時点ｔ３以降としては、例えば、時点ｔ４においてモノラルデータ（又は無音区間）に切り替わったとしても、トラックＴｒ＃２５５をステレオ録音モードにより記録するという動作を継続するようにされる。つまり、図９に示す場合としては、最後のトラックにおいては、録音ソースがモノラル音声であってもステレオ記録されることで記録時間の節約は図れないものの、録音ソースのステレオ音声部分については、ステレオで記録することが確約されるものである。
【００９２】
５−２．処理動作
続いて、これまで説明した本実施の形態としての録音モード自動切り換え録音としての記録動作を実現するための処理動作を、図１１のフローチャートを参照して説明する。なお、この図に示す処理はＭＤコントローラ１１が実行するものとされ、記録信号処理として、バッファメモリ１３に対してエンコーダ／デコーダ部１４により圧縮されたオーディオデータを書き込んで保持させる動作に並行して実行されるものとされる。
【００９３】
図１１に示す処理にあっては、先ず図ステップＳ１０１において、エンコーダ／デコーダ部１４により圧縮され、この後バッファメモリ１３に書き込まれて蓄積される段階のデータについて、そのオーディオ信号としての信号状態を検出する処理を開始するようにされる。ここでいう信号状態としては、先にも述べたように、ステレオ音声であるのか、若しくはアナログ音声又は無音区間であるのかを対象とし、また、その信号状態の変化も検出しているようにされる。
また、ここでの信号状態の検出は、所定の最大数Ｎが設定された、Ｎクラスタ分のデータごとに行うようにされている。また、上記最大数Ｎとしては、ここでは偶数が設定されるものとする。
【００９４】
また、ここでは、バッファメモリ１３に対して蓄積される段階のデータを検出対象としているのであるが、これにより、例えば、ＭＤコントローラ１１自体の処理によって、メモリコントローラ１２を介してデータを取り込んでその信号状態を検出するという動作を行うことができる。このため、例えばアナログオーディオ信号入力段、及びデジタルオーディオ信号入力段に対して、ステレオ／モノラル検出、及び無音区間検出のための機能回路部を設ける必要は特に無いものとされ、それだけ、従来とほぼ同様の回路規模とされたうえで、簡易な構成によって信号状態の検出を行うことが可能になるものである。
【００９５】
また、例えば図１に示す複合型機器の場合、ＦＭ／ＡＭチューナ部６１自体の構成として、受信復調時の信号処理状況に基づいて、出力音声がステレオ／モノラルの何れであるのかについての判定を行うことが可能とされる。従って、ＦＭ／ＡＭチューナ部６１から、その出力音声がステレオ／モノラルの何れであるのかを示す識別信号を出力するように構成することも可能とされる。
そこで、このように録音ソースの出力源においてステレオ／モノラルの識別信号を出力可能とされる場合には、ＭＤコントローラ１１がこの識別信号を直接（或いは、例えばシステムコントローラ１１を介するなど間接的であってもよい）入力して、この入力された識別信号に基づいてステレオ／モノラルの判別を行うようにすることもできる。
【００９６】
そして、続くステップＳ１０２において、上記ステップＳ１０１の処理によって監視されるＮクラスタ分のデータの信号状態についての判定を行うようにされる。
なお、通常は、信号状態に変化が無い限りは、Ｎとしての最大数分のクラスタ数のデータについての検出結果に基づいて判定を行うようにされるが、Ｎクラスタ分に満たないデータを検出しているうちに信号状態の変化（ステレオからもモノラル（又は無音区間）、又はその逆の変化が検出された場合には、このＮクラスタ未満のデータについての判定結果を出すように構成される。この場合にはクラスタ数Ｎとしては奇数と成り得る。
【００９７】
上記ステップＳ１０２における判定結果として、監視を行った今回のＮクラスタ分のデータは、これに先行して検出されたステレオデータに続けて、同じステレオデータが継続されているものであると判定された場合には、そのままステップＳ１０４に進む。
これに対して、今回のＮクラスタ分のデータは、例えばこれに先行して検出されたデータがモノラルデータ又は無音区間とされていた状態から、ステレオデータに変わっているものであると判定された場合には、ステップＳ１０３に進む。
【００９８】
ステップＳ１０３においては、トラックチェンジのための処理を実行する。このためには、ＭＤから読み出されて例えばバッファメモリ１３（又はＭＤコントローラ１１の内部ＲＡＭ）に格納されているＵ−ＴＯＣセクター０の内容について、これまでの記録トラックについての記録結果に応じてＵ−ＴＯＣセクターに書き込みを行うと共に、これより記録が行われる新規な記録トラックが設定されるように書き込みを実行するものである。
【００９９】
そして、続くステップＳ１０４においては、ステレオ録音モードによって、Ｎクラスタ分のデータをＭＤに対して記録するための記録信号処理及びＭＤへの記録動作が得られるように、制御を実行する。
ここで、先のステップＳ１０２において、先行するデータに続けてステレオデータが継続されているものと判断されてステップＳ１０４に至った場合には、同一の記録トラック内で、先行するステレオデータに続けてＮクラスタ分のステレオデータを記録することになる。
【０１００】
また、ステップＳ１０２において、今回のＮクラスタ分のデータは、先行するモノラルデータ又は無音区間としてのデータに続くモノラルデータ又は無音区間であると判定された場合には、ステップＳ１０５に進む。
ステップＳ１０５においては、今回判定されたＮクラスタ分のデータが、モノラルデータ部分又は無音区間における最終部分のデータであるか否かが判別される。この判別は、例えばステップＳ１０１の処理以降開始されている信号状態の検出処理として、今回判定されたＮクラスタ分のデータに続く次のデータが有音のステレオに変化しているという検出結果に基づいて行うことができる。
【０１０１】
このステップＳ１０５において、否定結果が得られた場合には、ステップＳ１０８に進むのであるが、肯定結果が得られた場合にはステップＳ１０６に進む。ここで、否定結果が得られる場合には、今回判定したクラスタ数Ｎは予め設定された最大数とされており、従って、偶数となる。これに対して、肯定結果が得られた場合には、偶数の場合もあれば奇数の場合もあり得ることになる。
【０１０２】
そこでステップＳ１０６では、今回判定したクラスタ数Ｎが偶数であるか否かを判定する。そして、クラスタ数Ｎが偶数であるという肯定結果が得られた場合には、ステップＳ１０７に進むようにされるが、クラスタ数が奇数とされて否定結果が得られた場合には、ステップＳ１０９に進む。
【０１０３】
ステップＳ１０７においては、今回、モノラルデータ又は無音区間であるとして判定されたＮクラスタ分のデータが、モノラル録音モードに従ったＮ／２クラスタ分のサイズのデータとしてＭＤに記録されるようにするための制御処理を実行する。つまり、図６（ａ）（ｂ）に示した偶数のクラスタ数に対応したモノラル録音モードによる記録動作を実行させるものである。
【０１０４】
これに対して、ステップＳ１０８は、図６（ｃ）〜（ｆ）により説明した奇数クラスタに対応したモノラル録音モードによる記録動作を実行させるための処理となる。
つまりは、今回、モノラルデータ又は無音区間であるとして判定されたＮクラスタ分のデータを、Ｎ／２＋１クラスタ分のデータとなるように信号処理を実行させ、この際に、最後のクラスタについては空き領域に対してダミーデータを付加して、１クラスタ分のサイズを確保するようにされる。そして、このようにして得られたＮ／２＋１クラスタ分のデータをＭＤに対して書き込ませるものである。
【０１０５】
また、ステップＳ１０２において、今回のＮクラスタ分のデータは、例えばこれに先行して検出されたデータがステレオデータとされていた状態から、モノラルデータ又は無音区間のデータに変わっているものであると判定された場合には、ステップＳ１０９に進む。
【０１０６】
ステップＳ１０９においては、今回判定が行われたＮクラスタ分のデータに先行するデータを記録しているときの記録トラックがＴｒ＃２５４であるか否かが判別される。つまり、記録トラックとして設定可能なトラックとして、最後の１つ前のトラックについての記録を行っているか否かが判別されるものである。
【０１０７】
このステップＳ１０９において、先行するデータを記録しているときの記録トラックがＴｒ＃２５４ではない、つまりここでは、Ｔｒ＃２５３以下のトラックナンバのトラックであるとされる場合には、ステップＳ１１０に進んで、先のステップＳ１０３と同様にトラックチェンジ処理を実行して、前述したステップＳ１０５に進む。ここで、ステップＳ１０５の処理に戻るようにされるのは、例えば今回新たにモノラルデータ又は無音区間であるとして判定されたＮクラスタのデータのみによって、これがトラック最終部分のデータとなり得る可能性があることによる。
これに対して、ステップＳ１０９において先行するデータを記録しているときの記録トラックがＴｒ＃２５４であると判別された場合には、ステップＳ１０４に移行するようにされる。このステップＳ１０９からステップＳ１０４へ進む処理によって、先に図８に示した時点ｔ３以降の動作が実現されるものである。つまり、Ｔｒ＃２５４がステレオ録音モードとされていることで、以降の録音モードの切換及びこれに伴うトラックチェンジを禁止して、ステレオ録音モードのまま記録する動作が実行される。
【０１０８】
先に述べたステップＳ１０４、Ｓ１０８，及びＳ１０７におけるＭＤへの書き込みのための制御処理が終了した後は、ステップＳ１１１において記録終了であるか否かが判別される。ここで、記録終了ではないことが判別されれば、ステップＳ１０２の処理に戻ることによって、これまで説明してきた、信号状態の判定結果に応じての処理が継続されることになる。つまり、本実施の形態としての録音モード自動切り換え録音が継続される。
これに対して、例えば記録終了操作が行われるか、又は、ＭＤの記録残量が無くなるなどして記録終了となった場合には、ステップＳ１１１にて肯定結果が得られてこのルーチンを抜けることになる。
【０１０９】
ところで、上記処理動作によっては、例えば記録開始時において、その時入力されている信号状態についての判定結果に基づいて録音モードが自動的に設定されることにもなる。つまり、本実施の形態にあっては、ユーザは、記録開始に先立って、記録モード設定のための操作等を行う必要はないものである。
【０１１０】
なお、前述したように、管理可能な最大トラック数に対応するトラックＴｒ＃２５５に対して記録を行っている際には、これ以上、トラックチェンジが行えないことから録音モードの切換は行われない。そこで、特にフローチャート等による説明は省略するが、トラックＴｒ＃２５５にトラックチェンジが行われた場合には、この図に示す処理を抜けて、通常のステレオ録音モードによる録音を記録終了まで継続すればよいものである。
【０１１１】
また、本実施の形態としては、信号状態（ステレオとモノラル又は無音区間）を判定して、この判定結果に基づいて先に図５〜図９により説明した録音モードの自動切り換え動作が得られればよいことから、実際の処理動作としては上記図１１に示すものに限定される必要はない。
【０１１２】
また、本実施の形態の記録装置としては、ＣＤプレーヤとラジオとが一体化されたＭＤレコーダプレーヤを例に挙げて説明したが、例えば単体のＭＤレコーダプレーヤとされても構わないものである。
また、ＭＤレコーダプレーヤ以外のディスクメディアに対応する記録装置、更には、ディスクメディア以外の他の記録媒体であっても、例えばステレオ記録とモノラル記録とで、同じ単位時間のソース信号についての記録データ量が異なってくるようなフォーマットを有するメディアに対応する記録装置であれば、本発明の適用は可能とされる。
更に、本実施の形態では、２チャンネルステレオとモノラル（１チャンネル）とに対応した記録モードの自動切り換えを例に挙げているが、例えば、チャンネル数としては、２チャンネルと１チャンネルとの関係に限定されるものではない。つまりは、メディアに対する記録フォーマットとして、例えば４チャンネルと２チャンネルのソースに対応する記録モードを有しているような場合にも、本発明は適用できる。更には、４チャンネルと２チャンネルと１チャンネルのように、３以上の記録モードの自動切り換えが行われるような構成であっても本発明は適用可能である。
【０１１３】
【発明の効果】
以上説明したように本発明は、記録動作中において、入力された信号状態を判別し、この判別結果に応じて記録チャンネル数に関わる記録モードを切り換えるようにされる。
例えば、従来においては、記録モードの切り換え（記録チャンネル数の変更）は、記録開始前においてユーザが設定し、記録動作中にあっては切り換えは行われないものであった。これに対して、本発明では記録ソースの信号状態に応じて適切とされる記録モードの切換を自動的に行うことが可能になるものであり、先ず１つには、事前にユーザが設定操作を行わなくとも、信号状態に応じて適切とされる記録モードが設定されることになる。また、各々の記録モードにより得られるメリットを有効活用することが可能になるものである。
例えば、記録ソースがオーディオ信号ならば、この信号についてマルチチャンネルステレオであるのかモノラルであるのかを判別し、マルチチャンネルステレオの場合には、そのチャンネル数による記録が行われる記録モードを設定して、モノラルのときには１チャンネルによる記録が行われる記録モードを設定するということが可能になるものである。
そして、このようなモード設定動作が記録中においても自動的に行われるようにされていることで、例えば記録モード（チャンネル数）によって、単位時間あたりの音声としてのデータサイズが異なってくるような記録フォーマットを採っているときには、仮にマルチチャンネルステレオに対応する記録モードのみによって記録を行っていく場合よりも、記録媒体の記録可能時間を長くすることが可能になる。この際、マルチチャンネルステレオの音声については、そのチャンネル数に対応した記録モードが設定されることになるため、このステレオ音声としての品質は維持されるものである。
【０１１４】
また本発明としては、この記録ソースとしてのオーディオ信号が、有音状態であるか無音状態であるかどうかを判別して、有音状態のときには例えば或るチャンネル数による記録モードを設定し、無音状態のときには有音時の場合よりも少ない所定チャンネル数による記録モードを設定することも可能とされる。
例えば、マルチチャンネル音声が得られているときにあっても、その間の無音区間というのは、再生音声としての観点からいえばどの記録モードで記録されたとしても無音であることに変わりはない。そこで、上記のように無音時には有音時の場合よりも少ない所定チャンネル数による記録モードを設定すれば、先の構成の場合と同様に、マルチチャンネルステレオ音声の品質は確保した上で、無音区間が生じた分に応じて記録可能時間を延長させることが可能となるものである。
【０１１５】
また本発明の構成として、記録モードとしては、記録チャンネル数に応じて、固定長の記録データ単位（クラスタ）に対して例えば時分割的に配列させるべきチャンネルデータ単位（サウンドフレーム）のチャンネル数が異なるようにされているものとする。つまり、記録モードの切換に応じて、この記録データ単位内のサウンドフレームのチャンネル数が変更されるものである。これは、記録ソースが音声であるとすれば、記録データ単位内のサウンドフレームのチャンネル数が少なくなるほど、１記録データ単位内に記録可能な音声としての出力時間は長くなることを意味している。
そして、記録ソースの信号状態についての判別を行い、この判別結果に応じて適切とされる記録モードを切り換えるようにすれば、複数用意された記録モードを有効活用した記録動作を行うことが出来、例えば、記録ソースがオーディオ信号であれば、先に述べたような記録可能容量の節約、つまり、総記録可能時間の延長を図ることも可能とされる。また、この場合にも、特にユーザが設定操作を行わなくとも、信号状態に応じて適切とされる記録モードが自動的に設定されるものである。
【０１１６】
そしてこの構成の下、例えば記録モードが切り換えられる際において、先の記録モードにより記録が行われる最後の記録データ単位については、記録ソースの信号データと、この信号データとは異なる所定種類のデータとによって、この最後の記録データ単位を形成するようにしている。このようにすれば、例えば上記最後の記録データ単位に含めるべき記録ソースとしての信号データのサイズが１記録データ単位のサイズに満たなく空き領域が生じてしまう場合であっても、例えばこの空き領域に対してダミーデータを付加するようにして１記録データ単位を確保することができる。つまり、記録モードの切り換えに関わらず、適正にデータを記録媒体に記録していくことが可能になるものである。
【０１１７】
また、記録ソースの信号状態を判別するのにあたっては、この入力ソースとしての信号データがバッファメモリ（データ蓄積手段）に書き込まれる段階で検出を行って判別するようにされるが、これによって、例えば、記録ソースがオーディオ信号であれば、特に、オーディオ信号の入力段に対して信号状態検出のための機能回路部を設ける必要等はなくなるため、それだけ信号状態検出のための構成としては、簡易なものとすることが可能になる。
【０１１８】
また、記録モード（録音モード）の切り換えに応じて、プログラム（トラック）が更新されて管理されるようなフォーマットを有するシステムの場合、管理可能な最大プログラム数Ｎよりも１つ小さなプログラム数Ｎ−１までを既に使用して記録を行っている状態にあるときに、或る特定の記録モードが設定されているのであれば、以降の記録モードの変更と、これに伴うプログラムチェンジは行わないようにされる。
これにより、例えば具体的には、オーディオ信号としてのソースを記録している場合に、プログラム数Ｎ−１までを既に使用している状態でステレオに対応した記録モードで記録を行っているのであれば、たとえこの後信号がモノラル音声に変わったとしても、以降の記録モードの切り換えに伴うトラックチェンジを行わないように構成することができる。
このようにすれば、例えば、最大プログラム数Ｎに対応する最後のプログラムにおいてモノラルに対応した記録モードが設定されてしまって、この後ステレオになったオーディオ信号がモノラルによって記録されてしまうというような不都合を解消できることになる。
【図面の簡単な説明】
【図１】本発明の実施の形態としての記録装置を備えた複合型機器の構成例を示すブロック図である。
【図２】ミニディスクシステムのクラスタフォーマットの説明図である。
【図３】ミニディスクシステムのＵ−ＴＯＣセクター０の説明図である。
【図４】ミニディスクシステムのＵ−ＴＯＣセクター０のリンク形態の説明図である。
【図５】ステレオ録音モードとモノラル録音モードの記録フォーマットを示す説明図である。
【図６】モノラル録音モードによる記録時における最後のクラスタについての信号処理例を示す説明図である。
【図７】本実施の形態の録音モード自動切り換え記録の動作を示す説明図である。
【図８】管理可能な最大トラック数の使用にまで至る状況となった場合の、録音モード自動切り換え記録における動作を示す説明図である。
【図９】本実施の形態としての管理可能な最大トラック数の使用にまで至る状況となった場合の、録音モード自動切り換え記録における動作を示す説明図である。
【図１０】本実施の形態としての管理可能な最大トラック数の使用にまで至る状況となった場合の、録音モード自動切り換え記録における動作を示す説明図である。
【図１１】本実施の形態の録音モード自動切り換え記録のための処理動作を示すフローチャートである。
【符号の説明】
３，３３  光学ヘッド、８  エンコード／デコード部、１１  ＭＤコントローラ、１２  メモリコントローラ、１３  バッファメモリ、１４  エンコード／デコード部、１９  操作部、２０  表示部、２１  システムコントローラ、３７  デコーダ、６１  ＦＭ／ＡＭチューナ部
【図１】
0004110679.tif 000002
【図２】
0004110679.tif 000003
【図３】
0004110679.tif 000004
【図４】
0004110679.tif 000005
【図５】
0004110679.tif 000006
【図６】
0004110679.tif 000007
【図７】
0004110679.tif 000008
【図８】
0004110679.tif 000009
【図９】
0004110679.tif 000010
【図１０】
0004110679.tif 000011
【図１１】
0004110679.tif 000012